(57)【特許請求の範囲】
【請求項１】
掘削機のブームの上部から昇降自在に吊下げられたケリーバの下端に掘削用バケットを設け、該ケリーバを回転させるケリーバ駆動装置をブームの下方に配置し、前記掘削用バケットのバケット本体底部に底蓋を開閉可能に設け、該バケット本体に前記底蓋に係合して底蓋を閉じるラッチを下端に有するラッチバーを設け、該ラッチバーを開方向に回動して前記ラッチと前記底蓋との係合を解除するシリンダを配設した掘削用バケットの底蓋開閉装置において、前記シリンダに、前記ラッチバーに係合してラッチバーを開方向に回動する係合部材を設けるとともに、該シリンダを、前記掘削用バケットが地上に引き上げられたときに、前記係合部材と前記ラッチバーとが係合する位置にワイヤロープにて吊下げたことを特徴とする掘削用バケットの底蓋開閉装置。
【請求項２】
前記シリンダを前記掘削用バケットのサイズに合わせて、前記掘削用バケットの径方向に移動可能に設けたことを特徴とする請求項１記載の掘削用バケットの底蓋開閉装置。
【発明の詳細な説明】
【０００１】
【発明の属する技術分野】
本発明は、アースドリル等の掘削機に用いられる掘削用バケットの底蓋開閉装置に関する。
【０００２】
【従来の技術】
現場杭を施工するための杭孔内を掘削するアースドリルは、ブームの上部から昇降自在に吊下げられたケリーバの下端に掘削用バケットを設け、ケリーバを回転させるケリーバ駆動装置をブームの下方に配置し、ケリーバ駆動装置によりケリーバを回転させながら掘削用バケットにて掘削作業を行う。この掘削用バケットは、バケット本体底部にヒンジにて開閉可能に設けた底蓋を閉じた状態で掘削を行い、底蓋下面の複数の掘削刃で掻き取られた掘削土を、底蓋に開口する取込み口からバケット本体内へ収容し、掘削土が一杯になったら掘削用バケットを地上へ引き上げて、底蓋を開けて掘削土をダンプカー等の荷台に排出する。
【０００３】
このため、底蓋開閉装置として、バケット本体のヒンジと対向する位置に、下端に通称矢じりと呼ばれるラッチを有するラッチバーを縦方向に配設し、底蓋のヒンジと対向する位置に形成した係合孔にラッチを係合して底蓋を閉じ、バケット本体の上面に、ラッチバー上部のハンドルに連結するリターンスプリングを設けて、該リターンスプリングによりラッチを常時閉方向に付勢して底蓋を常時閉状態に保持し、底蓋を開けるために、ラッチバーを開方向に回動して、ラッチと底蓋の係合孔との係合を解除するシリンダをバケット本体の上面に設置しているものがある。
【０００４】
【発明が解決しようとする課題】
ところが、掘削土は水分を多量に含んだものが多いところから、上述の構成では、バケット本体の上面に設置されたシリンダが、バケットとともに掘削孔の中に入っていくため、掘削土にまみれて確実に作動しない虞がある。また、シリンダに作動流体を給排する配管あるいはシリンダを駆動するための電気配線が掘削土にまみれて、配管や電気配線の切断の虞があるので、配管や電気配線の保護部材を設ける必要がある。
【０００５】
そこで本発明は、シリンダ、配管あるいは電気配線等が掘削土にまみれることがなく、シリンダが確実に作動して底蓋を開けることができる掘削用バケットの底蓋開閉装置を提供することを目的としている。
【０００６】
【課題を解決するための手段】
上記した目的を達成するため、本発明は、掘削機のブームの上部から昇降自在に吊下げられたケリーバの下端に掘削用バケットを設け、該ケリーバを回転させるケリーバ駆動装置をブームの下方に配置し、前記掘削用バケットのバケット本体底部に底蓋を開閉可能に設け、該バケット本体に前記底蓋に係合して底蓋を閉じるラッチを下端に有するラッチバーを設け、該ラッチバーを開方向に回動して前記ラッチと前記底蓋との係合を解除するシリンダを配設した掘削用バケットの底蓋開閉装置において、前記シリンダに、前記ラッチバーに係合してラッチバーを開方向に回動する係合部材を設けるとともに、該シリンダを、前記掘削用バケットが地上に引き上げられたときに、前記係合部材と前記ラッチバーとが係合する位置にワイヤロープにて吊下げたことを特徴とし、また、前記シリンダを前記掘削用バケットのサイズに合わせて、前記掘削用バケットの径方向に移動可能に設けたことを特徴としている。
【０００７】
【発明の実施の形態】
以下、本発明を、図面に示す実施形態例に基づいて、さらに詳細に説明する。掘削機のブームの上部から昇降自在に吊下げられた伸縮可能なケリーバ１の下端に設けられた掘削用バケット２は、バケット本体３底部に底蓋４を開閉可能に設け、バケット本体３に、下端にラッチ５を有するラッチバー６を縦方向に配設し、底蓋４の係合孔にラッチ５を係合して底蓋４を閉じ、バケット本体３の上面に、ラッチバー６上部のハンドル７に連結するリターンスプリング８を設け、該リターンスプリング８によりラッチ５を常時閉方向に付勢して底蓋４を常時閉状態に保持している。
【０００８】
また、ブームの下方に配置されてケリーバ１を回転させるケリーバ駆動装置９には、ケリーバ１と一体に回転する回転支持台１０が設けられ、該回転支持台１０にワイヤロープ１１にてシリンダ１２が吊下げられている。このシリンダ１２は、ラッチバー６上部のハンドル７をリターンスプリング８の付勢力に抗して回動してラッチ５と底蓋４の係合孔との係合状態を解除する。
【０００９】
シリンダ１２は、ケリーバ１の途中に上下方向に移動可能に設けられてケリーバ１と一体に回転する筒体１３の下部に固設したブラケット１４に設けられており、ブラケット１４には、回転支持台１０からのワイヤロープ１１の下端がボルト１５にて取り付けられている。
【００１０】
ブラケット１４には、シリンダ１２の支持具１６が掘削用バケット２の径方向に移動可能に設けられ、該支持具１６にシリンダ１２が取り付けられるとともに、シリンダ１２のロッド１２ａ側に、ラッチバー６のハンドル７に係合する係合部材としてのレバー１７が設けられている。
【００１１】
レバー１７は、上端を支持具１６に回動可能に軸支され、中間部にシリンダ１２のロッド１２ａが連結される連結孔１７ａを複数個形成し、下端がラッチバー６のハンドル７に係合し、シリンダ１２のロッド１２ａの伸長によりラッチバー６のハンドル７を開方向に回動して、ラッチ５と底蓋４の係合孔との係合を解除するもので、シリンダ１２のロッド１２ａと連結孔１７ａの連結位置を変えることにより、レバー１７のストロークを変更可能としている。
【００１２】
このシリンダ１２は、ケリーバ１を縮小して掘削用バケット２が地上に引き上げられたときに、レバー１７の下端がラッチバー６のハンドル７に係合する位置にワイヤロープ１１にて吊下げられている。尚、１８はシリンダ１２に作動油を給排するホースである。
【００１３】
このように構成することにより、図３に示されるように、ケリーバ１を回転しながらケリーバ１を伸長して掘削用バケット２にて掘削作業を行う際には、シリンダ１２及びレバー１７は、回転支持台１０からのワイヤロープ１１に吊下げられて地上に位置し、図４に示されるように、ケリーバ１を縮小して掘削用バケット２を地上に引き上げると、レバー１７の下端が掘削用バケット２のラッチバー６のハンドル７に係合する。
【００１４】
そして、掘削土を排出するときには、図５に示されるように、底蓋４の開くスペースを確保するためにさらに掘削用バケット２を引き上げて、シリンダ１２に作動油を供給し、ロッド１２ａを伸長してレバー１７を回動し、レバー１７と係合するラッチバー６のハンドル７を開方向へ回動して、ラッチ５と底蓋４の係合孔との係合を解除し底蓋４を開く。
【００１５】
したがって、シリンダ１２やホース１８が掘削孔内に入らないから掘削土にまみれることがなく、シリンダ１２が確実に作動して底蓋４を開けることができ、また、シリンダ１２やホース１８の耐久性を向上できる。
【００１６】
さらに、シリンダ１２の支持具１６が掘削用バケット２の径方向に移動可能に設けられているから、掘削孔の大きさに対応する掘削用バケット２のサイズに合わせてシリンダ１２を移動でき、しかも、シリンダ１２のロッド１２ａと連結孔１７ａの連結位置を変えることにより、レバー１７のストロークを変更可能として、掘削用バケット２のサイズの変更に伴うラッチバー６のハンドル７の回動量の違いに対応できるようにしている。
【００１７】
尚、上記実施形態例では、シリンダ１２を油圧で作動するもので説明したが、他の流体で作動するシリンダや電動シリンダでも良い。
【００１８】
【発明の効果】
以上説明したように、本発明の掘削用バケットの底蓋開閉装置は、掘削用バケットの底蓋に係合して底蓋を閉じるラッチを下端に有するラッチバーを開方向に回動して、ラッチと底蓋との係合を解除するシリンダに、ラッチバーに係合してラッチバーを開方向に回動する係合部材を設けるとともに、シリンダを、掘削用バケットが地上に引き上げられたときに、係合部材とラッチバーとが係合する位置にワイヤロープにて吊下げたので、掘削作業を行う際には、シリンダ及び係合部材は、ワイヤロープに吊下げられて地上に位置し、ケリーバを縮小して掘削用バケットを地上に引き上げると、係合部材が掘削用バケットのラッチバーに係合し、この状態でシリンダを作動させることにより、ラッチバーを開方向へ回動して、ラッチと底蓋の係合を解除し底蓋を開くから、シリンダやシリンダを駆動する流体の配管、あるいはシリンダを駆動するための電気配線等が掘削土にまみれることがなく、シリンダが確実に作動して底蓋を開けることができ、また、シリンダや配管あるいは電気配線等の耐久性を向上できる。さらに、シリンダを掘削用バケットの径方向に移動可能に設ることにより、シリンダを掘削用バケットのサイズに合わせて移動することができる。
【図面の簡単な説明】
【図１】  本発明の一実施形態例を示す掘削用バケットの底蓋開閉装置の斜視図である。
【図２】  ラッチバーの回動状態を示す平面図である。
【図３】  掘削作業時のシリンダの位置を示す概略図である。
【図４】  掘削用バケットを地上に引き上げた状態の概略図である。
【図５】  底蓋を開ける際の概略図である。
【符号の説明】
１…ケリーバ、２…掘削用バケット、３…バケット本体、４…底蓋、５…ラッチ、６…ラッチバー、７…ハンドル、８…リターンスプリング、９…ケリーバ回転駆動装置、１０…回転支持台、１１…ワイヤロープ、１２…シリンダ、１７…レバー、１８…ホース
【図１】
0003819564.tif 000002
【図２】
0003819564.tif 000003
【図３】
0003819564.tif 000004
【図４】
0003819564.tif 000005
【図５】
0003819564.tif 000006